(57)【要約】【課題】光配向膜によるパターン位相差フィルムに関して、従来に比して一段と精度を向上する。【解決手段】長尺の透明フィルム材による基材２を搬送しながら順次処理してパターン位相差フィルムを作製するパターン位相差フィルムの製造方法において、基材２を搬送ローラ２１に巻き付けて搬送しながら、搬送ローラ２１に対向するように搬送ローラ２１の周方向に順次配置した第１及び第２のマスク１６Ａ、１６Ｂをそれぞれ使用した第１及び第２の露光処理により光配向膜を作製する。搬送ローラ２１は、第１及び第２の露光処理に供する部位の温度が、異なる温度に設定された。【選択図】図４
2015041064.tif 000002
【特許請求の範囲】
【請求項１】
長尺の透明フィルム材による基材を搬送しながら順次処理してパターン位相差フィルムを作製するパターン位相差フィルムの製造方法において、
前記基材を搬送ローラに巻き付けて搬送しながら、前記搬送ローラに対向するように前記搬送ローラの周方向に順次配置した第１及び第２のマスクをそれぞれ使用した第１及び第２の露光処理により光配向膜を作製し、
前記搬送ローラは、
前記第１及び第２の露光処理に供する部位の温度が、異なる温度に設定された
パターン位相差フィルムの製造方法。
【請求項２】
前記第１及び第２のマスクは、
トータルピッチが同一に設定された
請求項１に記載のパターン位相差フィルムの製造方法。
【請求項３】
前記搬送ローラは、
内外周方向に空隙を形成して軸部材及び外筒部材が同軸状に配置され、
前記軸部材の外周及び前記外筒部材の内周に周側面が接触するように、円周方向に変位しないように保持されて、かつ回転自在に、前記外筒部材の周方向に順次複数の円柱部材が設けられ、
前記外筒部材の周方向に隣接する前記円柱部材間の空隙の少なくとも一部に、温度設定用の液体が循環供給される
請求項１又は請求項２に記載のパターン位相差フィルムの製造方法。
【請求項４】
長尺の透明フィルム材による基材を搬送しながら順次露光処理して、パターン位相差フィルムに係る光配向膜を作製する露光装置において、
前記基材を搬送ローラに巻き付けて搬送しながら、前記搬送ローラに対向するように前記搬送ローラの周方向に順次配置した第１及び第２のマスクをそれぞれ使用した第１及び第２の露光処理により光配向膜を作製し、
前記搬送ローラは、
前記第１及び第２の露光処理に供する部位の温度が、異なる温度に設定された
露光装置。
【発明の詳細な説明】
【技術分野】
【０００１】
本発明は、例えばパッシブ方式による３次元画像表示装置に係るパターン位相差フィルムに関するものである。
【背景技術】
【０００２】
近年、パッシブ方式により３次元画像を表示する画像表示装置が提供されている。ここで図６は、液晶表示パネルを使用したパッシブ方式の画像表示装置を示す概略図である。パッシブ方式の画像表示装置は、垂直方向又は水平方向（この図６の例では、垂直方向）に連続する液晶表示パネルの画素を、順次交互に、右目用及び左目用に割り当て、それぞれ右目用及び左目用の画像データで駆動し、これにより右目用の画像と左目用の画像とを同時に表示する。また液晶表示パネルのパネル面（視聴者側面）にパターン位相差フィルムを配置し、右目用の画素及び左目用の画素からの直線偏光による出射光を、右目用及び左目用で方向の異なる円偏光に変換する。これによりパッシブ方式では、対応する偏光フィルタを備えてなる眼鏡を装着して、右目用の画像と左目用の画像とをそれぞれ選択的に視聴者の右目及び左目に提供し、３次元画像を表示する。
【０００３】
このためパターン位相差フィルムは、液晶表示パネルにおける画素の設定に対応して、遅相軸方向（屈折率が最大となる方向）が直交する２種類の帯状領域が順次交互に形成される。これによりパッシブ方式では、対応する偏光フィルタを備えてなる眼鏡を装着して、右目用の画像と左目用の画像とをそれぞれ選択的に視聴者の右目及び左目に提供する。なおここでこの隣接する帯状領域の遅相軸方向は、液晶表示パネルに用いられる偏光板の透過軸の向きにより選択され、液晶表示パネルに用いられる偏光板の透過軸が水平方向に対して０度と＋９０度の組合せで用いられる場合は、通常、水平方向に対して、＋４５度と−４５度の組み合わせが採用され、液晶表示パネルに用いられる偏光板の透過軸が水平方向に対して＋４５度と−４５度の組合せで用いられる場合は、又は０度と＋９０度の組み合わせが採用される。なおこの図６の例では、通常の画像表示装置における呼称に習って画面の長辺方向を水平方向として示す。
【０００４】
このパッシブ方式は、応答速度の遅い画像表示装置でも適用することができ、さらにパターン位相差フィルムと円偏光メガネとを用いた簡易な構成で３次元表示することができる。なおパッシブ方式の画像表示装置では、図６の例による垂直方向に代えて、水平方向に連続する画素を順次交互に右目用及び左目用に振り分ける方法も採用される。
【０００５】
このパッシブ方式に係るパターン位相差フィルムは、画素の割り当てに対応して透過光に位相差を与えるパターン状の位相差層が必要である。光配向の手法により光配向膜を作製するパターン位相差フィルムでは、このパターン状の位相差層に対応するように、右目用の領域と左目用の領域とで偏光方向が直交する直線偏光による紫外線の照射により光配向膜が作製される。またこの光配向膜により位相差層の液晶を配向させた状態で硬化させることにより、位相差層が作製される。このパターン位相差フィルムに関して、特許文献１には、配向規制力を制御した光配向膜をガラス基板上に形成し、この光配向膜により液晶の配列をパターンニングして位相差層を作製する方法が開示されている。
【０００６】
ここで光配向の手法を適用して配向層を作製する場合、上述した２種類の帯状領域に対応する２回の露光処理が必要であり、この２回の露光処理により右目用の画素及び左目用の画素にそれぞれ対応する配向能を設定する。またこのような２回の露光処理による光配向層を作製する方法には、１回目及び２回目の１方のみマスクを使用する方法と、１回目及び２回目の双方でマスクを使用する方法とがある。
【０００７】
また１回目及び２回目の１方のみマスクを使用する方法では、光配向膜材料の持つ特性により１回目の露光処理でマスクを使用し、２回目の露光処理で全面に紫外線を照射する方法、１回目の露光処理で全面に紫外線を照射し、２回目の露光処理でマスクを使用する方法がある。１回目及び２回目の１方のみマスクを使用する方法では、いずれの露光方法を用いた場合でも、低い露光量で所望の特性が得られるほうがプロセスの高速化、使用エネルギー量の低下の点から好ましい。１回目の露光処理でマスクを使用し、２回目の露光処理で全面に紫外線を照射する方法の場合、１回目の露光時に紫外線が照射された領域にも２回目の露光時に紫外線が照射されるため、２回目の紫外線照射により１回目の紫外線照射領域の配向能が消失しないよう、１回目の露光量を配向能の付与に必要な露光用よりも高めに設定する必要がある。一方、１回目の露光処理で全面に紫外線を照射し、２回目の露光処理でマスクを使用する方法の場合、２回目の紫外線照射により１回目の紫外線照射領域の１部の配向能を書き換えなければならないため２回目の露光量を配向能の付与に必要な露光量よりも高めに設定する必要がある。このように１回目及び２回目の１方のみマスクを使用する方法では１回目及び２回目の双方でマスクを使用する方法に比して１方の露光量を高めに設定しなければならない欠点がある。しかしながら１回目及び２回目の双方でマスクを使用する方法では、露光量を配向能付与に必要な最小露光量に抑えることが可能となる反面、マスクの数が増大することになる。またフォトマスクの配置に、高度なアライメントが必要になる欠点がある。
【０００８】
特許文献２には、光配光膜を作製するフィルム材を搬送ローラに巻き付けて搬送するようにして、この搬送ローラを間に挟んで対向するように２つのマスクを配置して露光処理することにより、搬送過程におけるフィルム材の蛇行によるアライメント精度の低下を防止する方法が開示されている。なおこのような露光処理に供する搬送ローラは、露光時の温度上昇によるフィルム材の幅方向の伸びを抑制するために、通常、冷却機能が設けられており、この冷却機能により紫外線の照射による温度上昇を低減する。
【０００９】
ところでこのように搬送ローラを間に挟んで対向するように２つのマスクを配置し、さらに搬送ローラに冷却機能を設ける場合にあっても、パターン位相差フィルムの精度を確保する点で実用上未だ不十分な問題がある。
【先行技術文献】
【特許文献】
【００１０】
【特許文献１】特開２００５−４９８６５号公報
【特許文献２】特開２０１３−９７２０４号公報
【発明の概要】
【発明が解決しようとする課題】
【００１１】
本発明はこのような状況に鑑みてなされたものであり、光配向膜によるパターン位相差フィルムに関して、従来に比して一段と精度を向上することを目的とする。
【課題を解決するための手段】
【００１２】
本発明者は、上記課題を解決するために鋭意研究を重ね、搬送ローラの周囲に順次１回目の露光処理用のマスク、２回目の露光処理用のマスクを配置して露光処理するようにして、１回目及び２回目の露光処理に供する部位における搬送ローラの表面温度を異ならせるとの着想に至り、本発明を完成するに至った。
【００１３】
（１）  長尺の透明フィルム材による基材を搬送しながら順次処理してパターン位相差フィルムを作製するパターン位相差フィルムの製造方法において、
前記基材を搬送ローラに巻き付けて搬送しながら、前記搬送ローラに対向するように前記搬送ローラの周方向に順次配置した第１及び第２のマスクをそれぞれ使用した第１及び第２の露光処理により光配向膜を作製し、
前記搬送ローラは、
前記第１及び第２の露光処理に供する部位の温度が、異なる温度に設定された。
【００１４】
（１）によれば、第１及び第２の露光処理における基材の温度をほぼ同一の温度に設定することができ、基材の温度変化による精度の劣化を防止することができる。
【００１５】
（２）  （１）において、
前記第１及び第２のマスクは、
トータルピッチが同一に設定された。
【００１６】
（２）によれば、マスクの種類の増大を有効に回避することができ、工程管理を簡略化することができる。
【００１７】
（３）  （１）又は（２）において、
前記搬送ローラは、
内外周方向に空隙を形成して軸部材及び外筒部材が同軸状に配置され、
前記軸部材の外周及び前記外筒部材の内周に周側面が当接するように、かつ円周方向に変位しないように保持されて、かつ回転自在に、前記外筒部材の周方向に順次複数の円柱部材が設けられ、
前記外筒部材の周方向に隣接する前記円柱部材間の空隙の少なくとも一部に、温度設定用の液体が循環供給される。
【００１８】
（３）によれば、具体的構成により、第１及び第２の露光処理に供する部位の温度を、異なる温度に設定することができる。
【００１９】
（４）  長尺の透明フィルム材による基材を搬送しながら順次露光処理して、パターン位相差フィルムに係る光配向膜を作製する露光装置において、
前記基材を搬送ローラに巻き付けて搬送しながら、前記搬送ローラに対向するように前記搬送ローラの周方向に順次配置した第１及び第２のマスクをそれぞれ使用した第１及び第２の露光処理により光配向膜を作製し、
前記搬送ローラは、
前記第１及び第２の露光処理に供する部位の温度が、異なる温度に設定された。
【００２０】
（４）によれば、第１及び第２の露光処理における基材の温度をほぼ同一の温度に設定することができ、基材の温度変化による精度の劣化を防止することができる。
【発明の効果】
【００２１】
本発明は、光配向膜によるパターン位相差フィルムに関して、従来に比して一段と精度を向上することができる。
【図面の簡単な説明】
【００２２】
【図１】本発明の第１実施形態に係るパターン位相差フィルムの説明に供する図である。
【図２】図１のパターン位相差フィルムの製造工程を示すフローチャートである。
【図３】図２の露光工程の説明に供する図である。
【図４】露光装置の説明に供する図である。
【図５】露光時における精度劣化の説明に供する図である。
【図６】パッシブ方式による３次元画像表示の説明に供する図である。
【発明を実施するための形態】
【００２３】
〔第１実施形態〕
図１は、本発明の第１実施形態に係るパターン位相差フィルムを示す図である。この第１実施形態に係る画像表示装置は、垂直方向（図１においては左右方向）に連続する液晶表示パネルの画素が、順次交互に、右目用の画像を表示する右目用画素、左目用の画像を表示する左目用画素に振り分けられて、それぞれ右目用及び左目用の画像データで駆動される。これにより画像表示装置は、右目用の画像を表示する帯状の領域と、左目用の画像を表示する帯状の領域とに表示画面が交互に区分され、右目用の画像と左目用の画像とを同時に表示する。この画像表示装置は、この液晶表示パネルのパネル面に、この図１に示すパターン位相差フィルム１が配置され、このパターン位相差フィルム１により右目用及び左目用の画素からの出射光にそれぞれ対応する位相差を与える。これによりこの画像表示装置は、パッシブ方式により所望の立体画像を表示する。
【００２４】
パターン位相差フィルム１は、例えばトリアセチルセルロース等の透明フィルム材による基材２に配向膜３、位相差層４が順次作製される。パターン位相差フィルム１は、位相差層４が液晶材料により形成され、この液晶材料の配向を配向膜３の配向規制力によりパターンニングする。なおこの液晶分子の配向を図１では細長い楕円により示す。このパターンニングにより、パターン位相差フィルム１は、液晶表示パネルにおける画素の割り当てに対応して、一定の幅により、右目用の領域Ａと、左目用の領域Ｂとが順次交互に帯状に形成され、右目用及び左目用の画素からの出射光にそれぞれ対応する位相差を与える。透明フィルム材は配向膜３、位相差層４を作製する面の反対側の面に反射防止膜の作製処理等を実行したものを用いることができる。
【００２５】
パターン位相差フィルム１は、光配向材料による光配向材料膜が作製された後、いわゆる光配向の手法によりこの光配向材料膜に直線偏光による紫外線を照射して配向膜３が形成される。ここでこの光配向材料膜に照射する紫外線は、その偏光の方向が右目用の領域Ａと左目用の領域Ｂとで９０度異なるように設定され、これにより位相差層４に設けられる液晶材料に関して、右目用の領域Ａ及び左目用の領域Ｂとで対応する向きに液晶分子を配向させ、透過光に対応する位相差を与える。
【００２６】
図２は、このパターン位相差フィルム１の製造工程を示すフローチャートである。パターン位相差フィルム１の製造工程は、ロールに巻き取った長尺透明フィルム材により基材２が提供され、この基材２をローラより送り出して光配向材料膜が順次作製される（ステップＳＰ１−ＳＰ２）。ここで光配向材料膜は、各種の製造方法を適用することができるものの、この実施の形態では、光配向材料をベンゼン等の溶媒に溶解させた成膜用液体をダイにより塗布した後、乾燥して作製される。なお光配向材料は、光配向の手法を適用可能な各種の材料を適用することができるものの、この実施形態では、例えば光２量化型の材料を使用する。なおこのような光二量化型材料として、シンナメート、クマリン、ベンジリデンフタルイミジン、ベンジリデンアセトフェノン、ジフェニルアセチレン、スチルバゾール、ウラシル、キノリノン、マレインイミド、又はシンナミリデン酢酸誘導体を有するポリマーが挙げられる。中でも、配向規制力が良好である点で、シンナメート、クマリンの一方又は両方を有するポリマーが好ましく用いられる。このような光二量化型材料の具体例としては、例えば特開平９−１１８７１７号公報、特表平１０−５０６４２０号公報、特表２００３−５０５５６１号公報及びＷＯ２０１０／１５０７４８号公報、「Ｍ．Ｓｃｈａｄｔ，Ｋ．Ｓｃｈｍｉｔｔ，Ｖ．Ｋｏｚｉｎｋｏｖ  ａｎｄ  Ｖ．Ｃｈｉｇｒｉｎｏｖ：Ｊｐｎ．Ｊ．Ａｐｐｌ．Ｐｈｙｓ．，３１，２１５５（１９９２）」、「Ｍ．Ｓｃｈａｄｔ，Ｈ．Ｓｅｉｂｅｒｌｅ  ａｎｄ  Ａ．Ｓｃｈｕｓｔｅｒ：Ｎａｔｕｒｅ，３８１，２１２（１９９６）」に記載された化合物を挙げることができる。
【００２７】
続いてこの製造工程は、露光工程により紫外線を照射して光配向膜が作製される（ステップＳＰ３）。続いてこの製造工程は、位相差層作製工程において、ダイ等により液晶材料を塗布した後、紫外線の照射によりこの液晶材料を硬化させ、位相差層４が作製される（ステップＳＰ４）。続いてこの製造工程は、必要に応じて反射防止膜の作製処理等を実行した後、切断工程において、所望の大きさに切り出してパターン位相差フィルム１が作製される（ステップＳＰ５−ＳＰ６）。
【００２８】
図３は、この露光工程の詳細を示す図である。この製造工程は、右目用の領域Ａ又は光目用の領域Ｂに対応する部位を遮光したマスク１６Ａを介して、直線偏光による紫外線（偏光紫外線）を照射することにより、遮光されていない側の、左目用の領域Ｂ又は右目用の領域Ａについて、光配向材料膜を所望の方向に配向させる（図３（Ａ））。これによりこの製造工程は、１回目の露光処理を実行する。続いてこの製造工程は、１回目の露光処理とは逆に、左目用領域Ｂ又は右目用領域Ａに対応する部位を遮光したマスク１６Ｂを介して、１回目の露光処理とは偏光方向が９０度異なる直線偏光により、右目用領域Ａ又は左目用領域Ｂを露光処理し、右目用の領域Ａ又は光目用の領域Ｂについて、光配向材料膜を所望の方向に配向させる（図４（Ｂ））。これによりこの製造工程では、それぞれマスクを使用した２回の露光処理により、右目用の領域Ａと左目用の領域Ｂとを順次露光処理して配向膜３を作製する。
【００２９】
〔露光装置〕
図４は、露光工程に係る露光装置の構成を示す図である。露光装置２０は、搬送ローラ２１に基材２を巻きつて搬送する。露光装置２０は、この搬送ローラ２１を間に挟んで対向するように、基材２の搬入側及び搬出側に、それぞれ１回目及び２回目の露光処理に使用するマスク１６Ａ、１６Ｂが設けられる。なおマスク１６Ａ及び１６Ｂは、平板形状による石英ガラスにクロム層により遮光層を形成して作成され、この遮光層に、領域Ａ、Ｂにそれぞれ対応する細長いスリットが基材２の幅方向（この図４では紙面の奥行方向）に繰り返し形成される。露光装置２０では、回転中心がほぼ水平になるように搬送ローラ２１が配置され、この搬送ローラ２１の両側に、垂直にマスク１６Ａ及び１６Ｂが配置され、これによりマスク１６Ａ、１６Ｂが自重で変形しないように設定される。
【００３０】
露光装置２０は、このマスク１６Ａ及び１６Ｂの両側に偏光露光光源２２Ａ、２２Ｂが配置される。ここで偏光露光光源２２Ａ、２２Ｂは、１回目及び２回目の露光処理に供する直線偏光による紫外線を射出する光源であり、紫外線を射出する光源、この光源からの紫外線を直線偏光による紫外線に変換して射出するワイヤーグリッド等が設けられる。
【００３１】
これらによりこの露光装置１では、１つの搬送ローラ２１を間に挟んで対向するように配置した２つのマスク１６Ａ、１６Ｂにより順次露光処理することにより、この連続する露光処理間の搬送過程におけるフィルム材の蛇行に起因するアライメント精度の低下を防止し、高い精度により配向膜を作製する。
【００３２】
しかしながらこのようにマスク１６Ａ、１６Ｂを配置して露光処理する場合、露光処理により基材２の表面温度が変化し、その結果、基材２の幅方向の寸法が変化する。因みにトリアセチルセルロースフィルムにおいて熱膨張係数は、約１００ｐｐｍである。その結果、露光精度が劣化する恐れがある。すなわち図５（Ａ）に示すように、例えば１回目の露光処理により右目用領域Ａを露光処理するものとする。この場合、１回目の露光処理後においては、右目用領域Ａの間の領域である左目用領域Ｂが未露光の領域となっており、本来、この未露光の領域に２回目の露光処理で配向能を設定することになる。
【００３３】
しかしながら基材２は、１回目の露光処理により温度上昇して幅方向の寸法が増大し、その結果、１回目の未露光領域から幅方向にずれが領域を２回目で露光処理し、その結果、パターン位相差フィルム１では、１回目及び２回目の露光処理によってのみ露光処理された領域Ａａ及びＢｂ、露光処理が２回繰り返された領域Ａｂ、１回も露光処理されていない領域Ｂａが発生することになり、これにより精度が劣化することになる。なおこのように露光処理が２回繰り返された領域Ａｂ、１回も露光処理されていない領域Ｂａは、画像表示パネルからの出射光を正しく円偏光に変換できないことになり、その結果、右目及び左目に供給すべき画像表示パネルの出射光が、これは逆に左目及び右目に供給されることになり、画質が著しく劣化することになる。
【００３４】
なおこのような温度上昇を見込んで、１回目の露光処理と２回目の露光処理とで、繰り返し作成するスリットの大きさ、ピッチを変更することも考えられるものの、このようにするとマスクの種類が著しく増大することになる。
【００３５】
なお搬送ローラは、冷却機能が設けられており、このような基材２の温度変化は、搬送ローラの冷却機能により緩和されることになるもの、この場合でも、２回目の露光処理時の基材２の温度は、１回目の露光処理終了時の温度に２回目の露光処理による温度上昇を加えた値となり、結局、１回目の露光処理時と２回目の露光処理時とで基材２の温度が異なることになる。
【００３６】
そこでこの露光装置２０では、１回目の露光処理に供する部位と、２回目の露光処理に供する部位とで搬送ローラ２１の表面温度を異ならせるようにし、これにより基材２の温度を１回目の露光処理と２回目の露光処理とでほぼ同一温度に設定し、精度の劣化を防止する。
【００３７】
すなわち搬送ローラ２１は、回転中心軸（図示せず）に対して回転自在に円柱形状による軸部材２１Ａが配置され、この軸部材２１Ａと同軸状に円筒形状による外筒部材２１Ｂが設けられる。ここで軸部材２１Ａの外周と外筒部材２１Ｂの内周との間は、一定の空隙が形成され、この空隙の部位、軸部材２１Ａに対して斜め４５度方向の４か所に、軸部材２１Ａに外筒部材２１Ｂを保持する円柱部材２１Ｃが配置される。ここでこの円柱部材２１Ｃは、周側面が軸部材２１Ａの外周及び外筒部材２１Ｂの内周に当接して気密を保つように構成され、これにより搬送ローラ２１は、連続する円柱部材２１Ｃ間に、空隙２５Ａ、２５Ｂ、２５Ｃ、２５Ｄが形成される。
【００３８】
ここでこれら円柱部材２１Ｃは、搬送ローラ２１の周方向には変位しないように保持されて、各円柱部材２１Ｃの中心軸を回転中心にして回転可能に構成される。搬送ローラ２１は、軸部材２１Ａ、外筒部材２１Ｂ、円柱部材２１Ｃの全部又は一部を電動機等を使用して回転駆動により、外筒部材２１Ｂを回転させて基材２を搬送し、さらに外筒部材２１Ｂが回転しても空隙２５Ａ、２５Ｂ、２５Ｃ、２５Ｄが搬送ローラ２１の周方向に変位しないように構成される。
【００３９】
搬送ローラ２１は、外筒部材２１Ｂの両端端部の構成により、これら空隙２５Ａ、２５Ｂ、２５Ｃ、２５Ｄがそれぞれ密閉空間とされ、各密閉空間２５Ａ、２５Ｂ、２５Ｃ、２５Ｄに温度設定用の液体（水、油等である）が循環供給される。これにより搬送ローラ２１は、１回目の露光処理に供する部位と、２回目の露光処理に供する部位とで表面温度が所望の温度に設定することができ、これらの部位の表目温度が異なる温度に設定され。
【００４０】
より具体的に、この実施形態では室温を３０℃に設定して、１回目の露光処理に係る空隙２５Ａには、温度３０度により温度設定用の液体が供給され、続く空隙２５Ｂ及び２回目の露光処理に係る空隙２５Ｂ、２５Ｃでは、温度２５度により温度設定用の液体が供給され、続く空隙２５Ｄでは、温度３０度により温度設定用の液体が供給され、これらにより１回目の露光処理時と２回目の処理時とで基材２の表面温度をほぼ等しい温度に設定する。
【００４１】
またこの温度設定に対応して、この露光装置２０では、１回目の露光処理に供するマスク１６Ａと２回目の露光処理に供するマスク１６Ｂとでは、トータルピッチが等しくなるように設定される。ここでトータルピッチは、パターン位相差フィルム１の帯状領域の幅方向の寸法を規定するものであり、表示画面の上下端に対応する所定本数の帯状領域の幅により定義される。これによりこの実施形態では、マスクの種類の増大を有効に回避して工程管理を簡略化できるように構成される。
【００４２】
以上の構成によれば、１回目の露光処理に供する部位と２回目の露光処理に供する部位とで温度を異ならせることにより、高い精度によりパターン位相差フィルムを作製することができる。
【００４３】
またこのことを有効に利用して第１及び第２のマスクでトータルピッチを同一とすることにより、工程管理を簡略化することができる。
【００４４】
〔他の実施形態〕
以上、本発明の実施に好適な具体的な構成を詳述したが、本発明は、本発明の趣旨を逸脱しない範囲で、上述の実施形態の構成を種々に組み合わせたり、変更したりすることができる。
【００４５】
すなわち上述の実施形態では、斜め４５度方向に円柱部材を４本配置する場合について述べたが、本発明はこれに限らず、円柱部材の数及び配置の位置は必要に応じて種々に設定することができる。
【００４６】
また上述の実施形態では、搬送ローラを間に挟んで対向するようにマスクを配置する場合について述べたが、本発明はこれに限らず、搬送ローラの周方向に順次マスクを配置する場合に広く適用することができる。
【００４７】
また上述の実施形態では、搬送ローラの全ての空隙に温度設定用の液体を供給する場合について述べたが、本発明はこれに限らず、一部の空隙にのみ温度設定用の液体を供給するようにしてもよい。またさらに各液体の温度にあっても、種々に変更することができる。
【００４８】
また上述の実施形態では、軸部材、外筒部材、円柱部材により搬送ローラを構成する場合について述べたが、本発明はこれに限らず、搬送ローラにあっては、要は、１回目の露光処理に供する部位と２回目の露光処理に供する部位とで表面温度を所望温度に設定できれば良く、種々の構成を広く適用することができる。
【符号の説明】
【００４９】
１  パターン位相差フィルム
２  基材
３  配光膜
４  位相差層
１６Ａ、１６Ｂ  マスク
２０  露光装置
２１  搬送ローラ
２１Ａ  軸部材
２１Ｂ  外筒部材
２１Ｃ  軸部材
２２Ａ、２２Ｂ  偏光露光光源
２５Ａ、２５Ｂ、２５Ｃ、２５Ｄ  空隙
【図１】
2015041064.tif 000003
【図２】
2015041064.tif 000004
【図３】
2015041064.tif 000005
【図４】
2015041064.tif 000006
【図５】
2015041064.tif 000007
【図６】
2015041064.tif 000008